(57)【特許請求の範囲】
【請求項１】
流体が発生する又は溜まる筐体内から、該流体を排出する一方で、虫の侵入を防ぐ流体抜き防虫構造体において、
前記筐体内から外部へ向って貫通し、且つ所定のサイズの虫が侵入できない大きさの複数の貫通孔が形成されていると共に、
複数の前記貫通孔の間に、筐体内部側に向って突出し且つ先端が鋭角に尖った複数の突起部が形成されている、
ことを特徴とする流体抜き防虫構造体。
【請求項２】
請求項１に記載の流体抜き防虫構造体において、
前記突起部は、角錐又は円錐形状を成し、
角錐又は円錐形状を成している前記突起部は、前記貫通孔の筐体内部側の縁から形成されている、
ことを特徴とする流体抜き防虫構造体。
【請求項３】
請求項１及び２のいずれか一項に記載の流体抜き防虫構造体において、
複数の前記貫通孔の筐体外側を覆いつつ、筐体内からの前記流体が該貫通孔を介して排出させるための隙間が確保されている屋根を有している、
ことを特徴とする流体抜き防虫構造体。
【請求項４】
筐体内部に液体が侵入する恐れがある、又は筐体内部でガスが発生する電子機器において、
前記筐体には、請求項１から３のいずれか一項に記載の流体抜き防虫構造体が設けられている、
ことを特徴とする電子機器。
【請求項５】
請求項４に記載の電子機器において、
前記筐体内が、機密性を要する気密室と機密性を要さない非気密室とに分けられ、
前記流体抜き防虫構造体は、前記筐体の外部と前記非気密室とを仕切る筐体壁に設けられている、
ことを特徴とする電子機器。
【発明の詳細な説明】
【０００１】
【発明の属する技術分野】
本発明は、水やガス等の流体が発生する又は溜まる筐体内から、この流体を排出する一方で、虫等の侵入を防ぐ流体抜き防虫構造体、及びこれを備えている電子機器に関する。
【０００２】
【従来の技術】
従来、防水や防虫対策を施した電子機器としては、例えば、特開平７−５９１２４号公報に記載されたものがある。
【０００３】
この電子機器は、筐体本体内に、バッテリを収納するバッテリボックスを別途設け、このバッテリボックスの扉に複数のルーバーを設けて、バッテリから発生する水素ガスを逃がす一方で、複数のルーバーの隙間から雨水等が侵入するのを防ぐために、複数のルーバーの外側に遮蔽板を設けている。
【０００４】
【発明が解決しようとする課題】
しかしながら、従来技術では、筐体内部にバッテリボックスを配したり、複数のルーバーの外側に遮蔽板を設ける、といった二重壁構造で、防水対策等を施しているため、筐体全体が大型化する上に、構造が複雑になりコストが嵩むという問題点がある。さらに、ルーバーの間から虫が侵入する恐れがあると共に、横風が激しい場合には、雨水も浸入する恐れがあるという問題点がある。
【０００５】
本発明は、以上のような従来の問題点に着目してなされたもので、虫や雨水等を侵入を防ぐと共に、筐体の大型化や製造コスト増加を抑えることができる流体抜き防虫構造体、及びこれを備えている電子機器を提供することを目的とする。
【０００６】
【課題を解決するための手段】
前記目的を達成するための液体抜き防虫構造体は、
筐体内から外部へ向って貫通し、且つ所定のサイズの虫が侵入できない大きさの複数の貫通孔が形成されていると共に、
複数の前記貫通孔の間に、筐体内部側に向って突出し且つ先端が鋭角に尖った複数の突起部が形成されている、ことを特徴とするものである。
【０００７】
ここで、前記流体抜き防虫構造体において、
前記突起部は、角錐又は円錐形状を成している場合、該突起部は、前記貫通孔の筐体内部側の縁から形成されていることが好ましい。
【０００８】
また、以上の各流体抜き防虫構造体において、
複数の前記貫通孔の筐体外側を覆いつつ、筐体内からの前記流体が該貫通孔を介して排出させるための隙間が確保されている屋根を有していてもよい。
【０００９】
また、以上の各流体抜き防虫構造体において、
前記突起部の先端の内角は、４５°未満であることが好ましい。
【００１０】
また、前記目的を達成するための電子機器は、
電子機器筐体に、以上のいずれかの流体抜き防虫構造体が設けられている、ことを特徴とするものである。
【００１１】
【発明の実施の形態】
以下、図面を参照して、本発明に係る電子機器の各種実施形態について説明する。
【００１２】
まず、図１〜図９を用いて、本発明に係る第一の実施形態としての電子機器について説明する。
【００１３】
本実施形態の電子機器は、図１に示すように、予備電源としてのバッテリ９０と、電子回路ボックス９１と、これらを覆う筐体１００と、を備えている。
【００１４】
筐体１００は、直方体形状を成す筐体本体１０と、扉２０と、筐体本体１０と扉２０とを連結する蝶番１９と、を有している。筐体本体１０は、天板１１と底板１２と両側板１３，１３と背板１４と仕切板１５，１６を有して構成されている。筐体本体１０内を仕切る仕切板１５，１６としては、上仕切板１５と下仕切板１６の二つある。筐体本体１０内は、これらの仕切板１５，１６により、上室３０、中室３１、下室３２の三室に仕切られている。上室３０内にはバッテリ９０が配され、中室３１には電子回路ボックス９１や各種コネクタ９２，９３等が配され、下室３２には外部からのケーブル６０が接続される端子台９４等が配されている。
【００１５】
扉２０は、筐体１００の正面板を成す扉板２１と、筐体本体１０の正面側の縁との間の機密性を高めるために扉板２１に埋め込まれているパッキン２２と、扉板２１が筐体本体１０の開口を塞いでいる状態を維持するためのロック２３と、を有している。パッキン２２は、扉板２１で筐体本体１０の開口を塞いでいる状態で、天板１１の正面側面、両側板１３，１３の正面側面、底板１２の正面側面と接触し得る位置に設けられている。
【００１６】
底板１２の一部は、外部からのケーブル６０を下室３２内に導くためのグロメット７０で形成されている。このグロメット７０は、図２に示すように、ゴムで形成されており、ケーブル６０を下室３２内に導き易いようにするために、筐体本体１０内の方向へ向うに連れて縮径されているガイド部７２と、このガイド部７２の上側に位置し、筐体本体１０内と外部とを仕切る薄膜部７１と、が形成されている。このガイド部７２及び薄膜部７１は、ケーブル６０の想定本数分だけ、形成されている。筐体本体１０内にケーブル６０を導く際には、このグロメット７０の薄膜部７１にケーブル６０の端部を押し当てて、この薄膜部７１を破ってから、ケーブル６０の端部を下室３２内に入れる。ケーブル６０の端部は、図１に示すように、下室３２内の端子台９４に接続される。この端子台９４は、ケーブル６１により、中室３１に設けられているコネクタ９３と接続されている。下室３２と中室３１との間を仕切る仕切板１６には、防水クランプ８０が設けれており、端子台９４とコネクタ９３とを電気的に接続するケーブル６１は、この防水クランプ８０を通っている。このため、ケーブル６１は、下室３２から中室３１へ貫通しているものの、両室３２，３１間の機密性は保たれている。
【００１７】
グロメット７０は、ケーブル６０を筐体１００内に導入する際の作業が容易であるため、比較的頻繁に、ケーブル接続作業を行う電子機器の筐体の一部として利用されることが多い。また、このグロメット７０は、簡単な構造で低コストであるにもかかわらず、ケーブルの複数の線径に対応して、薄膜部７１が破れるため、筐体内と外部との間の機密性を比較的保つことができる。さらに、ケーブル６０を底板１２側から導くようにしているため、グロメット７０の破れた薄膜部７１とケーブル６０との僅かな隙間から、雨水等が侵入し難い構造になっている。
【００１８】
しかしながら、風雨が強い日には、ケーブル６０を伝わって、グロメット７０の破れた薄膜部７１とケーブル６０との僅かな隙間から、雨水等が下室３２内に侵入してしまうことがある。また、図３に示すように、筐体１００を横倒しにして設置するような場合には、あまり風雨が強くなくても、雨水等が下室３２内に侵入してしまうことがある。
【００１９】
筐体本体１０内に入った雨水等を排出するためには、底板１２に、排水孔を形成すると良いが、単純に排水孔を形成すると、この排水孔から、逆に雨水や虫が侵入してしまう。そこで、本実施形態では、図３及び図８に示すように、底板１２の四隅近傍に流体抜き防虫構造体１１０を設けている。この水抜き防虫構造体１１０に関しては、後に詳細に説明する。
【００２０】
上室３０内に設けられているバッテリ９０には、ケーブル６２の一方の端部が接続されている。このケーブル６２は、上室３０と中室３１とを仕切る仕切板１５に設けられている防水クランプ８１に通されて、その他端が中室３１内のコネクタ９２に接続されている。ケーブル６２は、上室３０から中室３１へ貫通しているものの、仕切板１５に設けられている防水クランプ８０に通されているため、両室３０，３１間の機密性は保たれている。
【００２１】
上室３０内のバッテリ９０は、充電時に水素ガスを発生するものである。このため、上室３０には、排気孔を設ける必要があるが、単純に排気孔を形成すると、この排気孔から、逆に雨水や虫が侵入してしまう。そこで、本実施形態では、天板１１に二つのガス抜き防虫構造体１２０を設けている。この流体抜き防虫構造体１２０に関しては、後に詳細に説明する。
【００２２】
次に、図４、図６〜図８を用いて、底板１２に設けた水抜き防虫構造体１１０について説明する。
【００２３】
本実施形態の水抜き防虫構造体１１０は、中空円筒１１１と、この円筒１１１の貫通部分を塞ぐように配されているプレート１１２と、を有している。プレート１１２には、図６及び図７に示すように、円筒１１１の貫通方向に貫通している角柱状の複数の貫通孔１１３が形成されている。なお、図７中でハッチングを施した部位は、貫通孔１１３を示している。また、複数の貫通孔１１３の間には、プレート１１２の一方の面上であって貫通孔１１３の縁から、複数の四角錘状の突起部１１４が形成されている。角柱状の貫通孔１１３の一辺の長さは、この貫通孔１１３から小さな蟻が出入りしないように、０．５mm未満にしている。また、四角錘状の突起部１１４の底辺の長さも、角柱状の貫通孔１１３の一辺の長さと同じ長さで、０．５mm未満である。四角錘状の突起部１１４の頂角θは、４５°未満の４０°にしている。
【００２４】
本実施形態では、図３及び図８に示すように、以上のような構成を成す水抜き防虫構造体１１０を、突起部１１４が筐体内を向くように、且つ底板１１の下室３２側の面から、円筒１１１の上端が突出しないようにして、底板１２の四隅に設けている。
【００２５】
図６に示すように、０．５mm以上の虫等Ａは、前述したように、角柱状の貫通孔１１３の一辺の長さが０．５mm未満であるため、この貫通孔１１３から筐体本体内に入り込むことはできない。
【００２６】
筐体本体１０の下室３２に溜まった雨水等の液滴Ｗは、その表面張力により、直径数mmの球形状になるため、球形状のままでは貫通孔１１３を通過できない。そこで、本実施形態では、プレート１１２の筐体本体側に先端が尖っている突起部１１４を設け、この突起部１１４の先端で球形状の液滴を崩すことで、液が貫通孔１１３を通過できるようにしている。一方、プレート１１２の筐体外部側は、突起部が形成されておらず平坦であるため、球形状の液滴が貫通孔１１３を通過しようとしても、その形状が崩れないため、筐体外部側から液が貫通孔１１３を通過することはほとんど不可能である。
【００２７】
すなわち、本実施形態では、筐体本体１０内から液を排出するために、貫通孔１１３を設けているが、筐体本体１０側からは液が排出され易い構造を成し、外部からは液が侵入し難い構造を成している。なお、この実施形態では、外部から液が侵入し難い構造として、プレート１１２の筐体外部側を平坦にしたが、本発明は、これに限定されるものではなく、プレート１１２の筐体外部側の形状は、球形状の液滴を崩すことのが可能な部位が無ければ、例えば、緩やかな凸状曲面であってもよく、さらには、積極的に、液滴が溜まり得るよう、複数の貫通孔の間に複数の凹部を形成してもよい。
【００２８】
次に、天板１１に設けたガス抜き防虫構造体１２０について、図５及び図９を用いて説明する。
【００２９】
本実施形態のガス抜き防虫構造体１２０は、ガス抜きプラグ１２０ａと、その上部を覆う屋根１２０ｂとを有している。ガス抜きプラグ１２０ａは、図５に示すように、中空四角筒１２１と、この円筒１２１の貫通部分を塞ぐように配されているプレート１２２と、を有している。プレート１２２には、液抜き防虫構造体１１０と同様に、複数の貫通孔１２３と複数の突起部とが形成されている。なお、ガス抜きプラグ１２０ａの筒１２１は、四角形状のものであるが、これは如何なる形状でもよく、前述した液抜き防虫構造体１１０と同様に円筒形状でもよい。また、逆に、液抜き防虫構造体１１０は、四角筒形状であってもよい。
【００３０】
天板１１には、図９に示すように、ガス抜きプラグ１２０aを取り付けるためのプラグ取付孔１０６が形成されている。天板１１の外面であってプラグ取付孔１０６の周囲は、外部方向に突出した堰１０７で覆われている。ガス抜きプラグ１２０ａは、このプラグ取付孔１０６に、突起部が上室３０側を向くように取り付けられている。堰１０７は、天板１１の外面を伝わり、ガス抜きプラグ１２０ａとプラグ取付孔１０６との間から雨水等が入り込むのを防ぐために設けられている。屋根１２０ｂは、天板１１及びガス抜きプラグ１２０ａから僅かに離間した上方の位置に設けられている。
【００３１】
このガス抜き防虫構造体１２０も、水抜き防虫構造体１１０と同様に、筐体本体内から液やガスを排出するために、貫通孔１２３を設けているが、貫通孔１２３の傍であって筐体本体側に突起部を設けているので、筐体本体側からは液や水素ガスが排出され易い構造を成し、外部からは液が侵入し難い構造を成している。なお、上室３０内のバッテリ９０から発生した水素ガスは、ガス抜きプラグ１２０ａの貫通孔１２３を通り、プラグ１２０ａと屋根０ｂとの間の隙間、及び屋根１２０ｂと天板１１との間の隙間を通って、外部に排気される。
【００３２】
このガス抜きプラグ１２０ａも、以上で述べたように、外部から液が侵入し難い構造を成しているもの、このガス抜きプラグ１２０ａは、天板１１に設けられているため、ガス抜きプラグ１２０ａのプレート１２２上に雨水等が溜まり、何らかの振動により、貫通孔１２３から上室３０内に雨水等が侵入する恐れがある。そこで、ガス抜きプラグ１２０ａのプレート１２２上に雨水等が溜まるのを防ぐために、屋根１２０ｂを設けている。
【００３３】
以上のように、本実施形態では、液抜き防虫構造体１１０やガス抜き防虫構造体１２０という、非常にシンプルで且つ小さな構造体で、雨水や虫等の侵入を防ぎつつ、筐体内の液やガス等の排出を図っているので、筐体の大型化や製造コストの増加を抑えることができる。
【００３４】
さらに、本実施形態では、筐体本体１０内を、高い機密性を要する中室３１と、あまり機密性を要しない上室３０及び下室３２とに分け、あまり機密性を要しない上室３０及び下室３２に対しては、雨水等の侵入の恐れがあるという設計上の欠点を受け入れるつつも、液やガス等を排出し易い構造にして、中室３１のみの機密性を高めているので、筐体自体の構造も簡単になり、この面からも製造コストを抑えることができる。
【００３５】
次に、図１０を用いて、本発明に係る第二の実施形態としての流体抜き防虫構造体について説明する。
【００３６】
この実施形態の流体抜き防虫構造体１３０も、以上の実施形態と同様に、複数の貫通孔１３３及び突起部１３４が形成されているプレート１３２を有している。但し、この実施形態の突起部１３４は、プレート１３２上で貫通孔１３３の縁１３３ａから僅かに離れた位置から形成されている。このように、貫通孔１３３の縁１３３ａと突起部１３４の縁１３４ａとの間に距離があると、この間に液体が溜まり、貫通孔１３３からの液の排出を妨げる恐れがあるので、貫通孔１３３の径を比較的大き目に設定する必要がある。
【００３７】
次に、図１１及び図１２を用いて、本発明に係る第三及び第四の実施形態としての流体抜き防虫構造体について説明する。なお、図１１及び図１２は、いずれも流体抜き防虫構造体の要部平面図で、貫通孔にハッチングを施している。
【００３８】
第三の実施形態としての流体抜き防虫構造体１４０は、図１１に示すように、複数の三角柱状の貫通孔１４３と複数の三角錐状の突起部１４４が形成されているプレート１４２を有しているものである。
【００３９】
また、第四の実施形態としての流体抜き防虫構造体１５０は、図１２に示すように、複数の円柱状の貫通孔１５３と複数の円錐状の突起部１５４が形成されているプレート１５２を有しているものである。
【００４０】
以上のように、本発明において、突起部の形状は、先端が尖っていれば、円錐状であっても角錐状であってもよい。また、貫通孔の形状も、角柱状であっても円柱状であってもよい。
【００４１】
また、以上の各種実施形態において、貫通孔及び突起部が形成されているプレートは、金属、樹脂、セラミックス等のいずれで形成してもよいが、好ましくは、プレートの筐体内側の表面及び貫通孔内面は、界面活性の高い物質で形成され、プレートの筐体外側の表面は、界面活性の低い物質で形成されていることが望ましい。これは、筐体内側からの液体の排出率を高め、筐体外側からの液体の侵入率を低下させるためである。このように、界面活性の高い部位と低い部位を設ける場合には、母材を界面活性の高い物質で形成し、界面活性を低くしたい部位に界面活性の低い薬品や塗料等を塗布するか、母材を界面活性の低い物質で形成し、界面活性を高くしたい部位に界面活性の高い薬品や塗料等を塗布するとよい。
【００４２】
【発明の効果】
本発明によれば、筐体内から流体を排出するために貫通孔を設けているが、この貫通孔の径を所定の虫のサイズよりも小さくしているので、貫通孔から虫が侵入するのを防ぐことができる。しかも、筐体内側であって複数の貫通孔の間に突起部を設け、表面張力により球形状になった液体の形状を崩すようにしているので、液体は、筐体内側からは貫通孔を通って排出され易くなっている。
【００４３】
また、本発明では、貫通孔と突起部との組み合わせてという、非常に簡単な構造で、流体抜き防虫構造を実現しているので、筐体の大型化や製造コストの増加を抑えることができる。
【図面の簡単な説明】
【図１】本発明に係る第一の実施形態における電子機器の斜視図である。
【図２】本発明に係る第一の実施形態における電子機器筐体の底部側の断面図である。
【図３】本発明に係る第一の実施形態における横倒し状態の電子機器の斜視図である。
【図４】本発明に係る第一の実施形態における水抜き防虫構造体の斜視図である。
【図５】本発明に係る第一の実施形態におけるガス抜き防虫構造体の斜視図である。
【図６】本発明に係る第一の実施形態における水抜き防虫構造体の断面図である。
【図７】本発明に係る第一の実施形態における水抜き防虫構造体の要部平面図である。
【図８】本発明に係る第一の実施形態における電子機器筐体の底部側の断面図である。
【図９】本発明に係る第一の実施形態における電子機器筐体の天部側の断面図である。
【図１０】本発明に係る第二の実施形態における液体抜き防虫構造体の要部断面図である。
【図１１】本発明に係る第三の実施形態における液体抜き防虫構造体の要部平面図である。
【図１２】本発明に係る第四の実施形態における液体抜き防虫構造体の要部平面図である。
【符号の説明】
１０…筐体本体、１１…天板、１２…底板、１５，１６…仕切板、２０…扉、３０…上室、３１…中室、３２…下室、６０，６１，６２…ケーブル、７０…グロメット、７１…薄膜部、７２…ガイド部、８０…防水クランプ、９０…バッテリ、９１…電子回路ボックス、９２，９３…コネクタ、９４…端子台、１００…筐体、１１０，１２０，１３０，１４０，１５０…液体抜き防虫構造体、１２０ａ…ガス抜きプラグ、１２０ｂ…屋根、１１２，１２２，１３２，１４２，１５２…プレート、１１３，１２３，１３３，１４３，１５３…貫通孔、１１４，１２４，１３４，１４４，１５４…突起部。
【図１】
0004217936.tif 000002
【図２】
0004217936.tif 000003
【図３】
0004217936.tif 000004
【図４】
0004217936.tif 000005
【図５】
0004217936.tif 000006
【図６】
0004217936.tif 000007
【図７】
0004217936.tif 000008
【図８】
0004217936.tif 000009
【図９】
0004217936.tif 000010
【図１０】
0004217936.tif 000011
【図１１】
0004217936.tif 000012
【図１２】
0004217936.tif 000013